(57)【要約】【課題】スピーカ装置を備えるにも拘わらず小型薄型化が促進され、且つ、良好な音質の音声を安定して聴取できる平型画像表示モジュールを提供する。【解決手段】液晶表示パネル１４と面発光照明パネル１５とを収納ケース１１内に収納し、フレーム１３により保持されてなる液晶表示ユニット１の背面に、一対のスピーカユニットが配置されている。これらスピーカユニットは、それぞれ、収納ケース１１の背面に設置された音源ユニット２と、音源ユニット２を取り囲み、且つ前記収納ケースの側板１１との間で、前記音源ユニット２から発せられた音波を液晶表示ユニット１の表示面側に導くための導音路４を形成するガイド板３とから構成されている。【選択図】      図２
2008011294.tif 000002
【特許請求の範囲】
【請求項１】
平型画像表示パネルと、
底板とその縁辺に立設された側板とからなり、前記平型画像表示パネルを表示面とは反対側の背面を前記底板に対向させて表示面が開放された配置で収容する外装ケースと、
前記外装ケースの前記底板の外側に設置された音源素子と、前記音源素子を取り囲み、且つ前記外装ケースとの間で前記音源素子から発せられる音波を前記平型画像表示パネルの表示面の観察側に導く導音路を形成するガイド板とを、
備えることを特徴とする平型画像表示モジュール。
【請求項２】
前記外装ケース及び前記ガイド板は、共に、ステンレス板を加工して形成されていることを特徴とする請求項１に記載の平型画像表示モジュール。
【請求項３】
前記音源素子は、その周縁部の両側をそれぞれ弾性を備えたスペーサを介し前記外装ケースと前記ガイド板とで挟持された状態で設置されていることを特徴とする請求項１又は請求項２に記載の平型画像表示モジュール。
【請求項４】
前記音源素子は、その周縁部の一方の面をスペーサを介して前記ガイド板に固定されていることを特徴とする請求項３に記載の平型画像表示モジュール。
【請求項５】
前記ガイド板は、前記外装ケースの底板の外側に位置し、前記音源素子をスペーサを介して固定する音源素子収容部と、前記外装ケースの側板との間に導音路を形成する導音路形成部とからなることを特徴とする請求項１に記載の平型画像表示モジュール。
【請求項６】
前記ガイド板と、このガイド板に固定された前記音源素子とによりスピーカユニットを形成し、このスピーカユニットが、前記外装ケースの対向する側板にそれぞれ配置されていることを特徴とする請求項４に記載の平型画像表示モジュール。
【請求項７】
前記平型画像表示パネルは、一対の基板間に液晶を挟持してなる液晶表示パネルであり、前記音源素子は印加電圧に応じて振動する圧電フィルムの両面に一対の電極を導通設置してなる圧電スピーカであることを特徴とする請求項１乃至請求項６のうちの何れかの請求項に記載の平型画像表示モジュール。
【発明の詳細な説明】
【技術分野】
【０００１】
この発明は、スピーカ装置を備える平型画像表示モジュールに関する。
【背景技術】
【０００２】
近年、携帯電話機等のモバイル機器のディスプレイとして、液晶表示パネルや有機ＥＬディスプレイ等の小型薄型化に適した平型画像表示パネル（以下、ＦＰＤ（Flat Panel Display）という）が用いられている。
【０００３】
一方、携帯電話機は単なる電話機からテレビやＰＤＡ（Personal Data Assistants ）等の機能を備えた複合機として進化しつつあり、そのようなモバイル機器に用いられるディスプレイとしては、単に映像を表示するだけでなく音声を発するスピーカ装置も必要とされる。
【０００４】
スピーカ装置を備えたモバイル機器のＦＰＤの一例として、特許文献１に示されるような車載用液晶表示パネルが知られている。
【特許文献１】特開昭６２−２３１８４７号公報
【発明の開示】
【発明が解決しようとする課題】
【０００５】
上述の車載用液晶表示パネルでは、映像表示ディスプレイとスピーカ装置が機器の前面に並設されている。このようにスピーカ装置を機器前面の映像表示ディスプレイに並設すると、その分だけ機器全体の面積が大きくなり、小型薄型化が最重要課題とされる携帯電話機のようなモバイル機器のディスプレイとして用いることができない。
【０００６】
面積を小さくするためにはスピーカ装置を映像表示ディスプレイの背面側に配置すればよいが、その代わりに厚さが増してしまう。また、スピーカ装置を背面側に配置した場合、表示を観察する前面側では、発せられた音波が前面側へ円滑に伝播されないために音質が低下し音声を明瞭に聴取できないという問題がある。
【０００７】
本発明の目的は、スピーカ装置を備えるにも拘わらず小型薄型化が可能であり、且つ、表示を観察する前面側で音質を低下させずにその音声を明瞭に聴取できるスピーカ付き平型画像表示モジュールを提供することである。
【課題を解決するための手段】
【０００８】
本発明の平型画像表示モジュールは、平型画像表示パネルと、底板とその縁辺に立設された側板とからなり、前記平型画像表示パネルを表示面とは反対側の背面を前記底板に対向させて表示面が開放された配置で収容する外装ケースと、前記外装ケースの前記底板の外側に設置された音源素子と、前記音源素子を取り囲み、且つ前記外装ケースとの間で前記音源素子から発せられる音波を前記平型画像表示パネルの表示面の観察側に導く導音路を形成するガイド板とを、備えることを特徴とするものである。
【発明の効果】
【０００９】
本発明の平型画像表示モジュールによれば、スピーカ装置のうちの音源素子だけを画像表示パネルの背面側に設置し、音源素子により発生させた音波を表示の観察側となる前面側へ導く導音路を設けたから、音源素子を含むスピーカ装置全体をディスプレイに並設する場合に比べてモジュール全体の面積を小さく抑えることができるとともに、音源素子だけを背面側に配置するからモジュールの厚さの増加も最小限に抑えることができ、且つ、導音路を囲繞形成する外装ケースとガイド板の材質を実質的に同一とし路壁全体を均質化したから導音路を介することによる音質の低下を防止でき、その結果、音質を低下させることなく音声を明瞭に聴取できると共に携帯電話機等の適用機器の小型薄型化に有利なスピーカ付き平型画像表示モジュールを提供することが可能となる。
【００１０】
本発明の平型画像表示モジュールにおいては、前記外装ケース及び前記ガイド板が共にステンレス板を加工して形成されていることが好ましく、これにより、良好な音質の音声を明瞭に聴取できる平型画像表示モジュールを少ない工数で容易に製作することが可能となる。
【００１１】
また、本発明の平型画像表示モジュールにおいては、音源素子がその周縁部の両側をそれぞれ弾性を備えたスペーサを介し前記外装ケース外面と前記ガイド板とで挟持された状態で設置されていることが好ましく、この場合、音源素子はその周縁部の一方の面をスペーサを介して前記ガイド板に固定されていることがより好ましく、これにより、音源素子の振動が画像表示パネルに伝播し表示不良を引き起こす虞が確実に解消される。
【００１２】
さらに、本発明の平型画像表示モジュールにおいて、ガイド板は、前記外装ケースの底板の外側に位置し、前記音源素子をスペーサを介して固定する音源素子収容部と、前記外装ケースの側板との間に導音路を形成する導音路形成部とからなることが好ましく、これにより、発振された音波が導音路内において効率良く音圧が増幅されつつ円滑に伝播し、クリアでダイナミックな音声が得られる。
【００１３】
またさらに、本発明の平型画像表示モジュールにおいては、ガイド板と、このガイド板に固定された前記音源素子とによりスピーカユニットを形成し、このスピーカユニットが、前記外装ケースの対向する側板にそれぞれ配置されていることが好ましく、これにより左右一対のスピーカユニットから共にクリアでダイナミックな音声がばらつき無く得られる。
【００１４】
加えて、本発明の平型画像表示モジュールは一対の基板間に液晶を挟持してなる液晶表示パネルに有効に適用され、その場合の音源素子として印加電圧に応じて振動する圧電フィルムの両面に一対の電極を導通設置してなる圧電スピーカを備えることが好ましく、これにより、小型薄型化が一段と促進され且つ良好な音質の音声を明瞭に聴取できるスピーカ付き液晶表示モジュールが得られる。
【発明を実施するための最良の形態】
【００１５】
図１は本発明の一実施形態としての液晶表示モジュールを示す斜視図で、図２はそのII−II線断面図、図３はその分解斜視図である。
【００１６】
本実施形態のスピーカ付き液晶表示モジュールは、図３に示されるように、大略、液晶表示ユニット１、音源ユニット２、及びガイド板３とで構成されている。
【００１７】
図２に示されるように、液晶表示ユニット１の筐体は、扁平な直方体をなす箱の天板を除去した上部開放型の収納ケース１１にカバーパネル１２が嵌装されてなる。これら収納ケース１１及びカバーパネル１２は、共にステンレス板を加工して形成されている。カバーパネル１２には、表示を観察するための表示窓１２１が穿設されている。また、収納ケース１１の底板１１１には、その中央部に外部との連通窓１１１１が穿設されている。
【００１８】
上記筐体内には、フレーム１３が配置されている。本実施形態のフレーム１３は、共に扁平な直方体の空間からなる前室１３ａと後室１３ｂとが２段に重設されてなる。すなわち、直方体の空間を囲む枠体をなす側板１３１の所定高さ位置に、その内面全周にわたって仕切り棚１３２が突設され、この仕切り棚１３２を境界として、前室１３ａと後室１３ｂとが２段に重設され、これら前室１３ａと後室１３ｂは、仕切り棚１３２で囲まれた空間１３ｃにより連通されている。
【００１９】
フレーム１３の前室１３ａには、液晶表示パネル１４が収納されている。液晶表示パネル１４は、電極（不図示）が形成された一対のガラス基板１４１、１４２を、それぞれの電極形成面を対向させて枠状シール材（不図示）により所定の間隙を保って接合し、枠状シール材で囲まれたガラス基板１４１、１４２間に液晶（不図示）を封入して、構成されている。ガラス基板１４１、１４２の液晶封入側とは反対側の各外面には、一対の前、後偏光板１４３、１４４がそれぞれ貼着されている。
【００２０】
本例の液晶表示パネル１４における一対のガラス基板１４１、１４２の面積は、表示面側となる前側ガラス基板１４１よりも後側ガラス基板１４２の方が大きく、これら大きさの異なるガラス基板１４１、１４２は後側ガラス基板１４２の一縁辺が前側ガラス基板１４１の対応する縁辺から突出する配置で接合されている。後側ガラス基板１４２の突出縁辺１４２１には、各電極から引き出された配線とその各端部の接続端子（不図示）が配設されて駆動回路部が形成されており、これら駆動回路部には駆動回路素子としてのドライバＬＳＩ１４５がＣＯＧ（Chip On Glass）搭載されている。そして、この駆動回路部の入力端子エリアには、フレキシブル配線基板１４６（ＦＰＣ：Flexible Printed Circuit）が導通接合されている。なお、このフレキシブル配線基板１４６は、その表裏両面に導電パターンが形成されている両面配線基板で、本液晶表示モジュールの各部位に駆動制御信号を配信するためのメイン配線基板である。
【００２１】
フレーム１３の後室１３ｂ内には、サイドライト型の面発光照明パネル１５が収容されている。本実施形態のサイドライト型面発光照明パネル１５は、照射対象の液晶表示パネル１４に大略対応した矩形をなす透明な導光板１５１の長手方向における一方の端部に、点光源としての発光ダイオード（以下、ＬＥＤ（Light-Emitting Diode）という）１５２が設置され、導光板１５１の液晶表示パネル１４に対向させる前面１５１１とは反対側の後面１５１２に光反射シート１５３が設置されてなる。
【００２２】
本実施形態では、ＬＥＤ１５２が２個設置され、導光板１５１の光反射シート１５３が設置された後面１５１２には、ＬＥＤ１５２から射出され導光板１５１内に入射した光を前面１５１１に向けて均一に反射させるための同心円状の凹凸パターン（不図示）が形成されている。ＬＥＤ１５２における光が射出される面とは反対側の背面には、フック部１５２１が凸設されている。
【００２３】
導光板１５１のＬＥＤ１５２が設置される端部には、一対の装着孔１５１３が所定位置に穿設されている。各々の装着孔１５１３は、大略、直方体状をなし、ＬＥＤ１５２の光射出面を密接させる面（光入射面）とは反対側の壁面には、係合突起１５１４が凸設されている。
【００２４】
上述のような一対の装着孔１５１３を備えた導光板１５１は、例えば、ポリカーボネイト等の透明樹脂材料を用い、インジェクション成形法等で一括成形することにより、容易に製造することができる。この場合、係合突起１５１４は、透明樹脂材料で一体成形されているから、樹脂材料の弾性を備えた係合突起である。
【００２５】
導光板１５１の前面１５１１には、光拡散シート１６とプリズムシート１７の２枚の光学シートが重畳設置されている。光拡散シート１６は導光板１５から面状に出射される照射光の輝度分布を均一化するために、プリズムシート１７は照射光の出射方向を正面方向に揃えるために、それぞれ設置されている。
【００２６】
そして、２枚の光学シート１６、１７が重畳設置された面発光照明パネル１５は、後室１３ｂ内の所定位置に、背面パネル１８に支持された状態で収納されている。背面パネル１８は、フレーム後室１３ｂの底面を閉じる配置で嵌合装着されている。
【００２７】
前述した液晶表示パネル１４のガラス基板１４２端部に導通接合されているフレキシブル配線基板１４６が、フレーム後室１３ｂ側に折り返され、その折り返し部が上記背面パネル１８と収納ケース１１の底板１１１との間に、配置されている。
【００２８】
そして、そのフレキシブル配線基板１４６の折り返し部には、前述したＬＥＤ１５２がＣＯＦ方式により直接搭載されている。この場合、背面パネル１８に貫通孔１８１が穿設され、この貫通孔１８１に導光板１５１の装着孔１５１３に挿着されたＬＥＤ１５２の足部を挿通させ、ＬＥＤ１５２の底面に凸設されている端子電極（不図示）がフレキシブル配線基板１４６上に形成されているＬＥＤ通電用端子パッド（不図示）に半田接続されている。
【００２９】
ここで、フレキシブル配線基板１４６はベースシートとしてポリイミド樹脂シート等の弾性を備えるシート材が用いられているため、それが後室１３ｂ側に折り返されることにより元の形状に復帰しようとする弾性復元力が発生する。この弾性復元力に基づき、フレキシブル配線基板１４６に搭載され装着孔１５１３に挿着されているＬＥＤ１５２に対して脱装させる方向（ＬＥＤ足部を引っ張る方向）に弾性付勢力が作用し、ＬＥＤ１５２のフック１５２１が装着孔１５１３の係合突起１５１４に係合する。この弾性付勢力により、ＬＥＤ１５２がその光射出面を装着孔１５１３の光入射面に密接させた適正装着状態に保持される。
【００３０】
上述のように構成された液晶表示ユニット１の背面には、一対の音源ユニット２、２が設置されている。各音源ユニット２は、図３に示されるように、圧電セラミックからなる圧電素子が設けられた円板状の圧電フィルム２１と、その両面にそれぞれ前記圧電素子に導通貼着された一対の短冊状薄膜電極２２ａ、２２ｂ、圧電フィルム２１と液晶表示ユニット１における収納ケース底板１１１の外面との間に介装される切り欠きを設けた欠円形スペーサ２３、圧電フィルム２１とガイド板３との間に介装される円形スペーサ２４、及び圧電フィルム２１に薄膜電極２２ａ、２２ｂを介して音源信号電圧を印加するためのリード配線２５ａ、２５ｂからなる。なお、リード配線２５ａ、２５ｂと対応する薄膜電極２２ａ、２２ｂとは、それぞれ半田付けにより導通接続されている。
【００３１】
ここで、欠円形スペーサ２３は、ウレタンフォーム等の緩衝材料で形成され、圧電フィルム２１の周縁部に弾性当接させてあり、円形スペーサ２４は、ウレタンフォーム等の緩衝材料、或いは、硬質のゴム等で形成され、圧電フィルム２１を前記ガイド板３に接着固定している。
【００３２】
欠円形スペーサ２３と円形スペーサ２４は、それぞれ、圧電フィルム２１が振動する際の振幅よりも大きい間隙を充分に確保するためのスペーサとして作用し、それぞれ圧電フィルム２１の周縁部をその振動の節で支持することによって、前記圧電フィルム２１に大きな振幅の振動を発生させることができる。
【００３３】
また、前記欠円形スペーサ２３と円形スペーサ２４は、圧電フィルム２１の振動を他の部材に伝えないためのクッションとして作用し、特に、本実施形態のような液晶表示モジュールの場合、液晶表示パネル１４に振動が伝わるのを防止している。
【００３４】
さらに、前記欠円形スペーサ２３と円形スペーサ２４は、圧電フィルム２１が振動することによりその両面から発生する各音波間の干渉を防止するセパレータとして作用し、この場合、圧電フィルム２１の後面とガイド板３との間に設置された円形スペーサ２４は、圧電フィルム２１の後面から発生する音波の前面（収納ケース底板１１１との対向面）側への伝播を防止するために円形に形成されて後面を全周にわたり囲繞している。これに対して、圧電フィルム２１の前面側に設置された欠円形スペーサ２３は、円形リングの一部を切欠いて開口部２３１を設けた欠円形に形成され、前面から発生する音波を伝播させるべき方向にその開口部２３１を位置させて設置されている。すなわち、欠円形スペーサ２３の開口部２３１は、圧電フィルム２１と収納ケース底板１１１間の欠円形スペーサ２３によって囲まれた空間を後述する導音路に連通させており、これにより、圧電フィルム２１２１の前面から発生する音波が後面から発生する音波と干渉することなく開口部２３１から導音路に伝播され、クリアな音声が得られる。
【００３５】
上述のように構成された一対の音源ユニット２、２は、それぞれ、液晶表示ユニット１を収納する収納ケース１１の底板１１１と一対のガイド板３、３により囲繞されている。各ガイド板３は、図３に示されるように、音源素子収容部３１と導音路形成部３２とからなり、収納ケース１１の板金材料と同じ材料で同じ板厚のステンレス板を板金加工して形成されている。
【００３６】
音源素子収容部３１は、平面形状が略正方形の扁平な音源素子収容空間を囲繞形成しており、略正方形をなす底板３１１とその３方の辺にそれぞれ立設された３枚の側板３１２、及び各側板３１２から外側に向けて直角方向にそれぞれ延出された３枚の取付け板３１３からなる。これら各側板３１２の高さ３ｈは、円形スペーサ２４、欠円形スペーサ２３を適度に圧縮して圧電セラミック板２１を弾性挟持できる寸法に設定されている。なお、各取付け板３１３の端部が隣り合うコーナー部には、取付け板３１３が延出されていない隙間３１４が設けられている。
【００３７】
底板３１１には、５個の細孔３１１１が十字の配置で穿設されている。これら細孔３１１１は、収容する音源ユニット２の圧電フィルム２１に対向するエリアに穿設されており、圧電フィルム２１の後面から発せられる不要な音波をガイド板３外に速やかに逸散させるために設けられている。これにより、不要な音波をガイド板３外の空間（適用機器内における本モジュール設置スペースの余剰空間）に速やかに逃がして吸収消滅させることができ、その結果、音源ユニット２から発せられる音声がよりクリアなものとなる。
【００３８】
導音路形成部３２は、音源素子収容部３１における底板３１１の側板が立設されていない縁辺を所定幅ｗだけ延出させ、その延出部の３辺に路壁板３２１をそれぞれ垂直に立設させて形成されている。図２示すように、これら各路壁板３２１の高さＨ3 は、音源素子収容部３１の高さｈ3 に液晶表示ユニット１の高さｈ1 を加えた寸法に設定されている。
【００３９】
上述のように構成された一対のガイド板３、３は、それぞれ、音源ユニット２を音源素子収容部３１に収容した状態で、各取付け板３１３を図示しない両面粘着テープ等の粘着部材により収納ケース底板１１１の外面の所定位置に貼り付けて装着されている。これにより、図１に示されるように、液晶表示パネル１４の表示面の左右両サイド（表示面の長手方向を観察者に対する左右方向とした場合の）にガイド板３と音源ユニット２からなる一対のスピーカユニットの各導音路４が開口した液晶表示モジュールが完成する。なお、フレキシブル配線基板１４６は、収納ケース側板１１２に設けられた開口１１２１からモジュール外部に引き出され、適用される例えば携帯電話機における画像信号や音声信号を出力する駆動制御部に接続される。
【００４０】
このスピーカ付液晶表示モジュールにおいては、図２に示されるように、各音源ユニット２がガイド板３の底板３１１と収納ケース底板１１１とで円形スペーサ２４と欠円形スペーサ２３を介して弾性挟持されるとともに、各ガイド板３の路壁板３２１と対応する収納ケース側板１１２とで一対の導音路４、４が囲繞形成されている。これら一対の導音路４、４は、それぞれ、一対の音源ユニット２、２の各収容空間に連通され、圧電セラミック板２１が振動することによりその前面から発せられる有用な音波を欠円形スペーサ２３の開口部２３１（図３参照）から液晶表示パネル１４の前面（表示面）側に導くために設けられている。なお、各音源ユニット２のリード配線２５ａ、２５ｂは、各ガイド板３の隣り合う取付け板３１３間に設けられている隙間３１４（図３参照）から外部に引き出され、収納ケース底板１１１の中央部に穿設されている連通窓１１１１を通し、その内部に設置されているフレキシブル基板１４６の音源信号入力配線端子（不図示）に半田付けで導通接続されている。
【００４１】
上述したスピーカユニットによれば、圧電フィルム２１が入力される音源信号電圧に応じて振動することによりその前面から発せられる音波が、欠円形スペーサ２３の開口部２３１から導音路４内に進行し、この導音路４内を伝播する間に或る程度音圧（音量）が増幅されてつまり拡声されて液晶表示パネル１４の表示面（前面）側に放出される。ここで、本実施形態の導音路４は、同じ材料で且つ同じ厚さのステンレス板からなる収納ケース１１とガイド板３で囲繞形成されているから、発振された音波が導音路４内において効率良く音圧が増幅されつつ円滑に伝播し、左右一対のスピーカユニットからばらつきの無い音声が得られる。これにより、本液晶表示モジュールの視聴者は、液晶表示パネル１４に表示される映像を観察する際に、それに付随するクリアでダイナミックな音声を両スピーカユニットから均等に聴取できる。
【００４２】
以上のように、本実施形態の液晶表示モジュールは、スピーカユニットの音源ユニット２だけを液晶表示ユニット１の背面（後面）側に重ねて設置し、この音源ユニット２から発せられる音波を液晶表示ユニット１の前面側に導く導音路４をモジュール側面に形成したから、音声発生手段つまりスピーカユニットを設けることに起因する液晶表示モジュール全体の面積と厚さの増加を可及的に小さく抑えることができる。その結果、スピーカユニット付き液晶表示モジュールを備える例えば携帯電話機等の適用製品機器の小型薄型化が促進される。
【００４３】
そして、スピーカユニットの導音路４を液晶表示ユニット１の収納ケース１１とガイド板３とで囲繞形成し、それら収納ケース１１とガイド板３とを同一材料で同じ板厚のステンレス板を加工して形成したから、一対の音源ユニット２からそれぞれ発振された音波が各導音路４内を効率良く音圧が増幅されつつ円滑に伝播し、左右一対のスピーカユニットからばらつきの無い音声が得られる。
【００４４】
また、音源ユニット２においては、圧電セラミック板２１の両面に緩衝材で形成した欠円形スペーサ２３と円形スペーサ２４をそれぞれ設置し、圧電セラミック板２１の両面から発せられる各音波の干渉を防止するとともに、欠円形スペーサ２３を設置した面から発せられる有用な音波だけを選択的にスペーサ開口部２３１から導音路４を介してモジュール前面側へ放出させる構成としたから、よりクリアな音声が得られる。
【００４５】
さらに、ガイド板３に細孔３１１１を穿設し、圧電セラミック板２１の円形スペーサ２４を設置した面から発せられる不用な音波を、前記細孔３１１１からモジュール外の空間に逃がして吸収消滅させる構成としたから、より一層クリアな音声が得られる。
【００４６】
これにより、本液晶表示モジュールの視聴者は、液晶表示パネル１４に表示される映像を観察する際に、それに付随するクリアでダイナミックな音声を両スピーカユニットから均等に聴取できる。
【００４７】
なお、本発明は、上記の実施形態に限定されるものではない。
例えば、上記実施形態においては、導音路を囲繞形成する液晶表示ユニット１の収納ケース１１とガイド板３とを同一材料で同じ厚さのステンレス板で形成したが、これに限らず、音波の伝播特性が実質的に等しい材料であれば同一材料でなくてもよく、また厚さも、同一厚さに限定されるものではなく、最適な音声が得られる板厚比に設定されることが好ましい。
【００４８】
また、本発明は、一対のスピーカユニットを設けた画像表示モジュールに限らず、１個或いは３個以上のスピーカユニットを設けた画像表示モジュールにも、有効に適用される。
【００４９】
加えて、本発明は、バックライト付きの液晶表示モジュールに限らず、反射式液晶表示モジュール或いは有機ＥＬ（Electro Luminescence）ディスプレイやプラズマディスプレイ等の他の種々の平面型画像表示モジュールに広く適用できることは勿論である。
【図面の簡単な説明】
【００５０】
【図１】本発明の一実施形態としてのスピーカ付き液晶表示モジュールを示す斜視図である。
【図２】上記液晶表示モジュールを図１のII−II線で切断して示す模式的断面図である。
【図３】上記液晶表示モジュールの分解斜視図である。
【符号の説明】
【００５１】
１                            液晶表示ユニット
１１                          収納ケース
１１１                        底板
１２                          カバーパネル
１３                          フレーム
１４                          液晶表示パネル
１４１、１４２                ガラス基板
１４６                        フレキシブル配線基板
１５                          面発光照明パネル
１５１                        導光板
１５２                        ＬＥＤ
１５３                        光反射シート
１６                          光拡散シート
１７                          プリズムシート
１８                          背面パネル
２                            音源ユニット
２１                          圧電セラミック板
２２ａ、２２ｂ                短冊状薄膜電極
２３                          欠円形スペーサ
２４                          円形スペーサ
２５ａ、２５ｂ                リード配線
３                            ガイド板
３１                          音源素子収容部
３１１                        底板
３１１１                      細孔
３１２                        側板
３１３                        取付け板
３２                          導音路形成部
３２１                        路壁板
４                            導音路
【図１】
2008011294.tif 000003
【図２】
2008011294.tif 000004
【図３】
2008011294.tif 000005